(57)【要約】      （修正有）【課題】折畳み操作が簡便な折畳み式ハンドカートを提供する。【解決手段】天板１ａの下面に少くとも一対の支持板３，３を相対して吊設してカート基盤１を構成する。カート基盤１の前記支持板３の両側に該支持板３，３間において対向して位置する方形角孔４をそれぞれ設け、周面の適所にキャスター１０を突設した支持筒５を前記支持板３，３間に介在させる。そして、支持筒５の、前記角孔４と断面形が一致する内腔部５´に圧縮ばね７を収設し、圧縮ばね７の付勢に抗して断面円形の先端部６ｂが前記方形角孔４位置に後退する断面方形角形の規制杆６を前記内腔部５´に摺嵌する。また、各規制杆６の周側に操作ピン８を突設し、該操作ピン８を、前記圧縮ばね７の付勢方向に長くして、前記支持筒５に設けた長孔９を通じて支持筒５外部に突出させる。【選択図】図２
2005170264.tif 000002
【特許請求の範囲】
【請求項１】
天板の下面に少くとも一対の支持板を相対して吊設してカート基盤を構成し、該カート基盤の前記支持板の両側に該支持板間において対向して位置する方形角孔をそれぞれ設け、周面の適所にキャスターを突設した支持筒を前記支持板間に介在させ、該支持筒の前記方形角孔と断面形が一致する内腔部に圧縮ばねを収設し、該圧縮ばねの付勢に抗して断面円形の先端部が前記方形角孔位置に後退する断面方形角形の規制杆を前記内腔部に摺嵌すると共に、各規制杆の周側に操作ピンを突設し、該操作ピンを、前記圧縮ばねの付勢方向に長くして、前記支持筒に設けた長孔を通じて支持筒外部に突出させた、折畳み式ハンドカート。
【発明の詳細な説明】
【技術分野】
【０００１】
本発明は、不使用時にキャスターをカート基盤内に納めて持ち運びを楽に行うことのできる折畳み式ハンドカートに関するものである。
【背景技術】
【０００２】
天板の下面に相対して設けた側壁の両側に該側壁間において対向して位置する角孔をそれぞれ設け、周面の適所にキャスターを突設した支持筒を前記支持板間に介在させ、該支持筒の、前記角孔と断面形が一致する内腔部に圧縮ばねを収設し、該圧縮ばねの付勢に抗して断面円形の先端部が前記角孔位置に後退する断面円形の規制杆を前記内腔部に摺嵌した構造の折畳み式ハンドカートがある（例えば、特許文献１）。
【０００３】
【特許文献１】実公平４−２１３３号公報
【発明の開示】
【発明が解決しようとする課題】
【０００４】
前記公報所載の構造のものは、キャスターをカート基盤内に収容する際（折畳み操作の際）、規制杆の先端部を押圧して圧縮ばねの付勢に抗して規制杆の角形部の角孔係合状態から先端部（断面円形の）の角孔係合状態へと規制杆を変位させ、該変位状態で支持筒を回転（動）させる必要があり、すなわち、規制杆を押し込みながら、該規制杆を摺嵌した支持筒を回転（９０度）させなければならないため、その操作が煩雑で折畳み式としては必ずしも実用的なハンドカートとはいえない。
【０００５】
本発明は、折畳み操作が簡便な折畳み式ハンドカートを提供することを目的とする。
【課題を解決するための手段】
【０００６】
天板の下面に少くとも一対の支持板を相対して吊設してカート基盤を構成し、該カート基盤の前記支持板の両側に該支持板間において対向して位置する方形角孔をそれぞれ設け、周面の適所にキャスターを突設した支持筒を前記支持板間に介在させ、該支持筒の前記方形角孔と断面形が一致する内腔部に圧縮ばねを収設し、該圧縮ばねの付勢に抗して断面円形の先端部が前記方形角孔位置に後退する断面方形角形の規制杆を前記内腔部に摺嵌すると共に、各規制杆の周側に操作ピンを突設し、該操作ピンを、前記圧縮ばねの付勢方向に長くして、前記支持筒に設けた長孔を通じて支持筒外部に突出させた構成としたものである。
【発明の効果】
【０００７】
本発明によれば、操作ピンを長孔に沿って移動させることによって支持筒の回転規制状態を開放し、該開放状態で操作ピンを摘んだままで支持筒を回転（９０度に）させてキャスターをカート基盤内に納められるから折畳み操作を不都合なく行え、持ち運び、保管に好適な折畳み式ハンドカートを提供することができる。
【実施例】
【０００８】
図面は本発明に係る折畳み式ハンドカートの一実施例を示し、図１は縦断正面図、図２は側面図、図３は底面図、図４は図１の一部拡大図、図５は図２の一部拡大断面図、図６は折畳み状態の底面図、図７は部材の一部分解斜視図である。
【０００９】
図示、１は折畳み式ハンドカートＡのカート基盤で、カート基盤１は、天板１ａと該天板１ａの周端に下方に折り曲げ状にして設けた周壁１ｂとで成り、周壁１ｂで取り囲んだ下面開口のキャスター収容空域２を備えたもので、周壁１ｂの、ハンドカートＡの前後方向に相対する部分を支持板３，３とし、該支持板３に設けた角孔４を利用してキャスター１０を組付け、前記ハンドカートＡとしたものである。
【００１０】
前記角孔４は、各辺を垂直又は水平方向に沿わせて配した正方形状を成し、前記支持板３の両側（従って、ハンドカートＡの左右方向の両側）に支持板３，３間において対向して位置するようにして設け、対向する一対の角孔４，４（支持板３，３）間に支持筒５を介在させてある。
【００１１】
支持筒５は前記角孔４と大きさが一致する方形断面形を成す内腔部５´を備え、該内腔部５´の両端に規制杆６を摺嵌すると共に、長手方向（ハンドカートＡの前後方向）の両側の方形周側片面にキャスター１０を突設したものである。
【００１２】
支持筒５に摺嵌した規制杆６は、支持筒５の内腔部５´と一致する断面正方形の主体部６ａと該主体部６ａの先端に連設した、主体部６ａの径より小径な断面円形の先端部６ｂとで成り、主体部６ａ側から支持筒５の前記内腔部５´に摺嵌し、内腔部５´内に納めた圧縮ばね７を介して互いに隣接し、実施例では圧縮ばね７を介して互いに連結し、この圧縮ばね７によって主体部６ａの先端の少くとも一部が前記角孔４に係合し、先端部６ｂは角孔４から外部に突出し、圧縮ばね７の付勢に抗して規制杆６を後退させたとき（規制杆６，６を互いに近接させたとき）該先端部６ｂのみが角孔４に係合するようにしてある。
【００１３】
なお、実施例では、規制杆６，６間に単一な圧縮ばね７を介在させてあるが、各規制杆６に対応させて圧縮ばねを設けてもよく、この場合、規制杆６側と反対側の当該圧縮ばねの一端は前記支持筒５に係止することになる。
【００１４】
また、各規制杆６の主体部６ａの、圧縮ばね７側の基部には操作ピン８を突設し、前記支持筒５に設けた長孔９を通じて支持筒５外部に突出させてある。
【００１５】
長孔９は、前記キャスター１０を設けた（取付けた）前記支持筒５の片面５ａに前記圧縮ばね７の付勢方向（規制杆６の進退方向）に長くしてあり、該長孔９の、規制杆先端部６ｂ側の一端９ａに操作ピン８が接する位置に存するときは（この位置関係維持は規制杆６，６間に配した圧縮ばね７が機能する）、規制杆角形主体部６ａの少くとも先端側の一部が角孔４に係合し、規制杆６延いては支持筒５の回転（動）を規制し、前記一端９ａに対応する、圧縮ばね７側の他の一端９ｂに接する位置に操作ピン８が存するとき（圧縮ばね７の付勢に抗して）は、角孔４内に断面円形の先端部６ｂが係合し、規制杆６すなわち支持筒５は回転（動）規制状態から解放され、規制杆先端部６ｂを中心にして回動可能状態となるようにしてある。
【００１６】
なお、規制杆先端部６ｂの円形は角孔４の正方形に内接する程度の円形が望ましく、内接することにより軸がぶれずに支持筒５の回転操作、支持筒５に取付けたキャスター１０のカート基盤１に対する出入操作を円滑に行うことができる。
【００１７】
また、各規制杆６，６に設けた操作ピン８，８の離開距離幅は、キャスター１０をカート基盤１より突出させたときのカートＡの使用状態時が最大で、該最大離開幅時に片手で両操作ピン８，８を圧縮ばね７の付勢に抗して互いに近接させることができる位置に配してある。
【００１８】
しかして、折畳み式ハンドカートＡ使用時に支持筒５内に摺嵌した断面角形の規制杆主体部６ａの先端側が支持板３に設けた角孔４に係合し、また、主体部６ａは内腔部５´が断面同形の支持筒５に摺嵌してあるから、支持筒５はその回動を規制され、従って、キャスター１０はカート基盤１すなわち前記キャスター収容空域２より突出し、天板１ａ上に載置する荷物を受支する状態となって、ハンドカートＡの使用状態を維持する。
【００１９】
そして、この使用状態時に、操作ピン８，８を互いに近接方向に長孔９の一端９ａから他の一端９ｂ方向に移動させると、規制杆６は圧縮ばね７の付勢に抗して後退し、この結果、規制杆６の先端部６ｂが角孔４に係合し、主体部６ａの角孔４に対する係合による支持筒５の回転規制状態が解除され、該係合状態を保ちつつ支持筒５を回転（回転角度９０°）させると、キャスター１０は起立状態から前記空域２すなわちカート基盤１内に収まる倒伏状態となり、この状態で操作ピン８から指先を離すと、圧縮ばね７の付勢によって規制杆６は原位置に復帰し、支持筒５の回転は規制され、折畳み式ハンドカートＡの持ち運び乃至保管状態を得られ、また、同様に前記回転規制状態を解放し、支持筒５を原位置へと復帰させることにより前記の使用状態を得られる。
【００２０】
なお、キャスター１０をカート基盤１内に収める際の支持筒５の回転（倒伏）操作時に天板１ａにキャスター１０が接するため、支持筒５の必要以上の回転は規制され、過回転を防ぐことができる。
【図面の簡単な説明】
【００２１】
【図１】縦断正面図。
【図２】側面図。
【図３】底面図。
【図４】図１の一部拡大図。
【図５】図２の一部拡大断面図。
【図６】折畳み状態の底面図。
【図７】部材の一部分解斜視図。
【符号の説明】
【００２２】
１      カート基盤
３      支持板
４      方形角孔
５      支持筒
６      規制杆
７      圧縮ばね
８      操作ピン
９      長孔
【図１】
2005170264.tif 000003
【図２】
2005170264.tif 000004
【図３】
2005170264.tif 000005
【図４】
2005170264.tif 000006
【図５】
2005170264.tif 000007
【図６】
2005170264.tif 000008
【図７】
2005170264.tif 000009